(57)【要約】【課題】従来寝たきり要介護者に対し被介護者が厄介とする課題に、食事・入浴・排泄物等の介護があり、その中で毎日の如く発生する排泄物の処理は異臭が伴なう事から最も面倒であり、紙おむつ等の普及で労力や精神的負担も軽減されているものの、毎回の取替え交換が重荷になり深刻な社会問題になっていると共に、使用後の紙おむつを産業廃棄物として投棄する手間と運搬回収費用又は介護施設等事業者での廃棄費用の課題もあった。【解決手段】専用寝台を用い寝たきり状態で要介護者が排泄口付オシメの装着により糞尿分別し泡水からシャワーとドライまで手動又は自動で処理し陰部及びお尻肛門周りの肌を清潔に保持する手段と、洗浄水孔付臭気防止管に一時収めた排泄物をオシメ内ドライ開始と同時に洗浄水の放出で下水道に直接流して処理する方法の介護システムの形態であり、目的を解決するためオシメと排泄物処理方法専用の介護用機能内蔵自動制御装置と連動させ用いる事で問題点を解決しようとするものである。    【選択図】      図１
2005103131.tif 000002
【特許請求の範囲】
【請求項１】
寝たきりで排泄物を処理するオシメの機構であって、前面被覆は男女用とを異にし、前面外縁伸縮被覆と後面尻股部伸縮被覆及び排泄物排出口とから形成し、被覆内部に各機能センサーと各機能パイプ及び内視鏡を内蔵し、分別処理を兼ねた股幅保持仕切壁を経て外部と接続する手段と、肛門部開口器具を設けたオシメ装着専用寝台を用い寝たきりで排泄物を下水処理することを特徴とした形態のオシメと排泄物処理方法。                    
【請求項２】
請求項１において、前面外縁伸縮被覆内部にオシメ装着有無と腹筋圧・湿度センサー及び尿臭の成分を感知する各機能センサーを内蔵し、シャワー・ドライの各機能パイプを配し、後面尻股部伸縮被覆内部に糞臭の成分及び湿度を感知する各機能センサーを内蔵し、泡水・シャワー・ドライの各機能パイプと内視鏡とホースを内蔵し、分別処理を兼ねた股幅保持仕切壁を経て外部と接続し用いる事を手段とした形態のオシメと排泄物処理方法。
【請求項３】
請求項１と２において、オシメ内に肛門部開口器具を設け可動部材に中性仕様両回回転モーターを用い、部材と同時可動のモーター台ローリング盤に円滑作動の補強基盤シートを有した構造とし、内視鏡と連動の画像で遠隔操作し肛門部へ誘導させ開口調整する手段と、オシメ専用寝台を用い排出ホースを通じ洗浄水孔付臭気防止管を経て寝たきり状態で下水管に流し処理する形態のオシメと排泄物処理方法であって、目的を解決するため本オシメ専用の介護用機能内蔵自動制御装置と連動させ用いる機構のオシメと排泄物処理方法。
【発明の詳細な説明】
【技術分野】
【０００１】
本発明は、要介護者が寝たきり状態で排泄物を下水道に直接流し処理する方法によって、従来要していた人手を不用としたオシメと排泄物処理方法に関する機構である。
【背景技術】
【０００２】
要介護者に用いるオシメには紙おむつ等が一般的であり被介護者が毎日の取替えに労力と負担が強いられている。    
又、近年は各種センサー付オムツも開発されているが、寝たりきりでオシメ内の排泄物を直接下水道に流し処理するシステムが無く、従来の排泄処理の問題点を解決しようとするものであり、本オシメ専用の介護用機能内蔵自動制御装置と連動させ各センサー作動で泡水からシャワーとドライ及び洗浄水まで手動又は自動操作で目的を解消する機構である。
【特許文献１】特開２００１−２１８７８３
【特許文献２】特開２０００−３３３９８９
【発明の開示】
【発明が解決しようとする課題】
【０００３】
従来寝たきり状態の要介護者に対し被介護者が厄介とする課題に、食事・入浴・排泄物処理等があり、その中で毎日の食事後に発生する排泄物の処理は糞臭が伴う事から最も面倒で憂慮される介護とされ、紙おむつ等の普及で負担も軽減されているものの、毎回の取替え交換が重荷となり深刻な社会問題となっている。
【課題を解決するための手段】
【０００４】
本発明は上記目的を達成するため、寝たきり状態で排泄物を処理する介護オシメの機構であって、上記の課題解決手段による作用は次の通りである。                
【０００５】
その１、寝たきりで排泄物を処理するオシメの機構で、前面被覆は男女用とを異にし、前面外縁伸縮被覆と後面尻股部伸縮被覆及び排泄物排出口から形成し、被覆内部に各機能センサーと各機能パイプ及び内視鏡を内蔵し股幅保持仕切壁を経て外部と接続する手段と、肛門部開口器具を設けオシメ専用寝台を用い寝たきりで排泄物を下水処理することを特徴とした形態のオシメと排泄物処理方法であって、前表面被覆を男性用と女性用とに区分し防水性被覆で形成し、意識ある男性向きに勃起対応の伸縮防水被覆とし、前面外縁伸縮被覆及び後面尻股部伸縮被覆はメッシュ状の硬軟クッション材を用い排泄物排出口を設け一体にしたオシメの構造であり、内部には公知の各機能センサーと各機能可撓パイプを配し、股部からお尻側の被覆に肛門部開口器具を保持させるため被覆を厚材とし、モーター台ローリング盤を用い円滑可動の補強基盤シートを張付け形成した構造を有した形態のオシメである。
【０００６】
その２、前面外縁伸縮被覆内部に公知のオシメ装着有無・腹筋圧・尿臭・湿度の各機能センサーと伸縮対応の余裕配線を内蔵し、シャワー・ドライの各機能パイプを可撓性とし、後面尻股部伸縮被覆内部に公知の糞臭・湿度の各機能センサーと、泡水・シャワー・ドライの各機能パイプを配し、公知の内視鏡と可撓ホースを内蔵した手段で、センサー配線及び可撓パイプとホースは糞尿を分別処理する役割を兼ねた股幅保持仕切壁を経て外部と接続させ用いる手段で、寝たきり状態で下水道へ直接流し処理する方法の機構とした形態のオシメと排泄物処理方法であって、目的を解決するため本オシメ専用に開発の介護機能内蔵自動制御装置と連動させ手動又は自動で処理するオシメと排泄物処理方法である。
【０００７】
その３、オシメ内に肛門部開口器具を設け可動部材に公知の中性仕様両回回転モーターを備え、部材と同時可動のモーター台ローリング盤は円滑作動を助成さす補強基盤シート張り付けた構造であり、内視鏡を内蔵し画像で遠隔操作によって肛門部誘導で開口調整する手段と、オシメ装着専用寝台の排出ホース保護管設置孔に形状記憶を施した排出ホースから温風開閉弁を通じ洗浄水孔付臭気防止管を経て寝たきり状態で下水管に流し処理する形態のオシメと排泄物処理方法であって、目的を解決するため本オシメ専用の介護用機能内蔵自動制御装置と連動させ用いる機構のオシメと排泄物処理方法である。
【０００８】
その４、排泄物排出口付オシメを使用する専用寝台には、ずり止シーツ・毛布・敷フトン・マット・ベッド等とし、敷フトン又はマットを防臭と空気清浄除湿口兼クッション台座の設置厚を加味し形成した寝具を用い所定位置に円形状の穴を設けた手段と、穴付部分は排出ホース保護管設置孔とし排出ホース保護管を取付け、寝たきりで排泄物を下水管に流し処理する方法のオシメと排泄物処理方法であって、これら一連の構成を有したオシメは被介護者の労力負担を軽減させる観点から目的を解決するため本オシメ専用の介護用機能内蔵自動制御装置と連動させ用いる機構のオシメと排泄物処理方法である。
【発明の効果】
【０００９】
本発明のオシメと排泄物処理方法は、要介護者に本オシメの装着により糞尿分別し陰部と肛門部廻りをシャワーとドライ及び洗浄水まで自動的に処理し下水管に流す方法によって、被介護者が従来要していた労力負担を軽減させるオシメの形態であり、目的を解決するため本オシメ専用に開発の介護用機能内蔵自動制御装置と連動し用いる事で排泄物処理は無論、要介護者の動作と病状及び表情等を介護カメラを通じ病院等管理者と画像によって受送信し管理する機構であって高齢化社会の介護システムに於ける効果が期待できる。
【発明を実施するための最良の形態】
【００１０】
以下、本発明の実施の形態として、実施例を図１〜図１１に基づいて説明する。
【実施例１】
【００１１】
図１において、要介護者が排泄物排出口付オシメ１を装着し介護専用寝台７に寝たきり状態で排泄物を処理するシステムであり、オシメ被覆内に内蔵した各種機能可撓パイプと公知の各種機能センサー２は合成樹脂繊維等で形成した股幅保持仕切壁３を経路とし、パイプとセンサーを外部で纏めケーブルに収めた段階のオシメは、目的を解決するため本オシメ専用の介護用機能内蔵自動制御装置１３と連動したケーブル１３jと接続させ、要介護者の排泄物処理を手動又は自動で制御し泡水からシャワー及びドライと洗浄水まで人手不用で処理するシステムとし、排出ホース保護管６を経て合成樹脂等を素材として形成した洗浄水孔付臭気防止管６dから洗浄水で直接流し便器接続の下水管又は公共桝下水管６hから処理するオシメ装着での排泄物処理方法の標準側面図である。            
【００１２】
図２は、排泄物排出口付オシメ１の内部に合成樹脂等を素材として形成した肛門部開口器具４を設け中性仕様両回回転モーターの駆動で同時可動のモーター台ローリング盤４rを円滑にする目的から肛門部開口器具廻りに補強基盤シート１fを後面被覆内面に接着し形成し、股幅保持仕切壁３で分別処理すると共にセンサー線とパイプ及びホースの出入接続口として用いる形態を示した排泄物排出口付オシメの標準姿図である。
【００１３】
図３は、合成樹脂繊維等を素材として形成した前面外縁伸縮被覆１cと後面尻股部伸縮被覆１d及び股幅保持仕切壁３における排泄物排出口１eと肛門部開口器具４とモーター台ローリング盤４rは、合成樹脂等を素材で形成した開口板歯溝付角度調整回転外軸４eと開口板下部枠昇降回転内軸４fに取付け、モーターを円滑に可動さす目的の肛門部開口器具廻り補強基盤シート１fを有した詳細を示したオシメ排出口の拡大平面図である。
【００１４】
図４は、前面部男性用伸縮防水被覆１a又は女性用防水被覆１bとを有し、前面外縁伸縮防水被覆１c内部に予め基準値を設定した各種機能センサーには陰部廻り尿臭センサー２aと陰部廻り湿度センサー２bの作動で、陰部廻りシャワーパイプ兼用前面部ドライ噴射孔付パイプ２jから噴射する仕組みと、前側被覆内湿度センサー２c作動で前側被覆内ドライ噴射孔付パイプ２Lでドライにする手段と、腹筋圧センサー２gとオシメ装着有無センサー２hを内蔵し２gは排便兆候を知らせ、２hは誤操作を防止する目的として設け、当該機能別センサー線と仝可撓パイプは股幅保持仕切壁３を経て外部と接続させる機構とし、目的を解決するため本オシメ専用の介護用機能内蔵自動制御装置と連動させ介護するシステムの構造を有した形態による前側被覆内各種機能内蔵の標準平面図である。
【００１５】
図５は、後面側尻部伸縮防水被覆１d内部に予め基準値を設定した各種機能センサーには肛門股廻り糞臭センサー２dと肛門股廻り湿度センサー２eの作動で、肛門股廻りシャワーパイプ兼用後面部ドライ噴射孔付パイプ２kから噴射する仕組みと、後側尻廻り湿度センサー２f作動で後側被覆内ドライ噴射孔付パイプ２mでドライにする手段と、腹筋圧センサー２gで排便兆候作動によって、肛門股廻り泡水噴射孔付パイプ２iから排泄物排出口１eと形状記憶排出ホース５bを泡水により糞便の付着を防ぐ手段と、当該機能別センサー線と仝可撓パイプは股幅保持仕切壁３を経て外部と接続させる機構とし、目的を解決するため本オシメ専用の介護用機能内蔵自動制御装置と連動させ介護するシステムの構造を有した形態による後側被覆内各種機能内蔵の標準平面図である。
図５において、後面尻部伸縮防水被覆１d内部の肛門部開口器具廻りに補強基盤シート１fを張り接着補強した面に肛門部開口器具４を設置し可動さすコの字型前後可動調整盤４aを接着固定し、はこ型左右可動内枠４cをはこ型バネ内蔵前後可動軸付外枠４bに組込み４aに取付ける、４c先端の角度調整軸受皿とカバー止具４dに開口板歯溝付角度調整回転外軸４eと開口板下部枠上昇降回転内軸４f及び片断面歯溝付の開口板角度調整歯溝付開口上部枠４hと開口板昇降下部枠４iを組合せ、内枠先端角度調整受皿とカバー止具４dに載せ取付けた構造とし、器具可動部材に防水を施した中性仕様両回回転モーター４k.４L.４m.４nを夫々設け、内視鏡４sを内蔵し遠隔作動で肛門部を開口させ排泄物を容易にする手段を用い目的を解決するため本オシメ専用の介護用機能内蔵自動制御装置と連動させた形態の後側被覆内各種機能内蔵の標準平面図である。
【００１６】
図６は、後面尻股部伸縮被覆１d内部に於ける肛門部開口器具４で破線部分はオシメ装着時に肛門肌に触れない様に縮めた状態であって、装着後は内視鏡カメラ４sで遠隔操作によって体形に合せ肛門位置に誘導し開口板で調整し肛門部位を開ける構造と、肛門股部における各種機能のセンサーと仝パイプの内蔵と配置状態を示した肛門部開口器具と各種機能内蔵の標準断面である。
【００１７】
図７は、後面尻部伸縮防水被覆１d内部に設けた肛門部開口器具４の拡大図であって、図５において説明した如くコに字型前後可動調整４aに、はこ型バネ内蔵前後可動軸付外枠４bとはこ型左右可動内枠４cを組合せ４aに取付け、４c先端の角度調整軸受皿とカバー止具４dに開口板歯溝付角度調整回転外軸４eと開口板下部枠上昇降回転内軸４f及び片断面歯溝付の開口板角度調整歯溝付開口上部枠４hと開口板昇降下部枠４iを組合せ、内枠先端角度調整受皿とカバー止具４dに載せ取付けた構造とし、器具可動部材に防水を施した中性仕様両回回転モーター４k.４L.４m.４nを夫々設け、内視鏡４sを内蔵し遠隔作動で肛門部を開口させ排泄物を容易にする手段を用い目的を解決するため本オシメ専用の介護用機能内蔵自動制御装置と連動させた形態の肛門部開口器具の可動調整軸と開口板を示した構造図である。
【００１８】
図８は、はこ型左右可動内枠４c先端部の内枠先端角度調整受皿とカバー止具４dに開口板歯溝付角度調整回転外軸４eと開口板下部枠昇降回転内軸４fを一体にし、開口版角度調整歯溝付上部枠４hに開口板昇降下部枠４iとを組合せ４dに乗せカバー止具で設置し、可動部材の各々に中性仕様両回回転モーターを配し、駆動により同時可動するモーター台ローリング盤４rは馬形状の回転輪とローリング盤下を回転自在球で覆った形状とした４rは４eと４f軸に取付け中性仕様両回回転モーター４mと４nの駆動で４hと４iが作動する形態の角度調整軸と開口板を示した詳細断面図である。
【００１９】
図９は、要介護者が排泄物排出口付オシメ１を装着し専用寝台７で寝たきり状態にて糞尿を処理するシステムであり、排泄物排出口１eと排出ホース５bの上部をラッパ型口６aに形成し、接続した排出ホース保護管６を通じ温風防出開閉弁６eを経て洗浄水孔付臭気防止管６dに入り一時溜め、糞尿行為が終了後センサー作動でシャワー噴射し臭気除去感知でドライに切換わると同時に洗浄水パイプ６fから６dに貯溜の糞尿を一気に下水管に流し処理する機構であり、目的を解決するため本オシメ専用の介護用機能内蔵自動制御装置と連動させた手段による形態のオシメ装着と排泄物処理方法を示した拡大側面図である。
【００２０】
図１０は、排泄物排出口付オシメ１を一定期間毎に取替え、殺菌消毒済みのオシメと交換する必要から排泄物排出口１eと円形保持に形状記憶加工した排出ホース５bは、夫々凹凸止具ボタン５aで接続させ、容易に取付け取外しの出来る止具を用いるものとし、また交換時に排泄物排出口１eと切離した排出ホース５bが排出ホース保護管６から脱落防止に排出ホース上部をラッパ型口６aに形成し、防臭と空気清浄除湿口兼クッション座台５cと底面溝付防臭空気清浄除湿器５dに空間台を設け脱落防止台５eとした構造とし、排出ホース５bの下端部に重みあるストッパーを取付け、寝返り後のホースを速やかにスライド下降復元する形態の排出口と排出ホース接続部を示した拡大側面図である。
【実施例２】
【００２１】
図１１は、実施例１に示した手段と形態によるオシメと排泄物処理方法の目的を解決するため本オシメ専用の介護用機能内蔵自動制御装置と連動させ介護する装置の実施例として、介護用機能内蔵自動制御装置１３に液晶画面と表示灯操作盤１３aにオシメ連動の各種成分センサー機能分析制御装置１３bを内蔵し科学的に自動分析する手段と、泡水自動補給タンクと泡水自動制御開閉弁付パイプ１３cを備え、温水シャワー自動補給タンクとドライ送風機器１３dには温風と温水振分弁付パイプを用いた温水シャワー・温風ドライ振分自動制御切替開閉弁付パイプ１３eによって、同一パイプ内のシャワー滞水を自動切替で温送風でシャワー滞水を放出させ温風でドライする仕組みと、洗浄水自動補給タンクと送水自動制御開閉弁付パイプ１３fによって、オシメ内部に発生した糞尿又は湿度を快適にし解消する方法と、介護用測定機器の接続口を設け、例えば心電図測定機器・血圧脈拍測定器・糞尿分析測定機器等携帯型医療機器と接続し分析記録機能装置１３gを設けた手段の介護用機能内蔵自動制御装置の実施例を示した標準図である。
【００２２】
図１１において、本装置には機能の異常とトラブル発生箇所を表示灯１３h又は画面上で表示させる手段と、緊急時通報と表示灯による方法１３h及び給湯機器と非常用充電式蓄電器１３iを備え、介護カメラ１３Lを設け病院等管理者に受送信によって常に画像で動作や症状等を管理し要介護者を把握する機構とした装置であって、好ましくは意識ある要介護者に情報と娯楽等提供する必要から本装置に液晶テレビ・ラジオ・ＣＤ・ＤＶＤ等の機能を搭載する事もできる装置とし、オシメと接続の各機能センサーと内視鏡ケーブル１３jを本装置に連動させ用いる事で目的を解決するオシメと排泄物処理方法と連動作動の介護用機能内蔵自動制御装置の実施例を示した標準立体図である。
【産業上の利用可能性】
【００２３】
高齢化社会に伴い痴呆症等で寝たきり状態の要介護者に提供するオシメであり利用可能性はこの他にも交通事故又は手術等で一時的に歩行困難な場合にも利用できる事は自明である。
【図面の簡単な説明】
【００２４】
【図１】オシメと排泄物処理方法を示した標準側面図である。
【図２】排泄排出口付オシメを示した標準姿図である。
【図３】オシメ排出口を示した拡大平面図である。
【図４】前側被覆内各種機能を示した標準平面図である。
【図５】後側被覆内各種機能を示した標準平面図である。
【図６】肛門部開口器具と各種機能を示した標準断面図である。
【図７】仝上器具の可動調整軸と開口板を示した構造図である。
【図８】角度調整軸と開口板を示した詳細断面図である。
【図９】オシメ装着と排泄物処理方法を示した拡大側面図である。
【図１０】排出口と排出ホース接続部を示した拡大側面図である。
【図１１】オシメと排泄物処理方法と連動作動の介護用機能内蔵自動制御装置の実施例を示した標準立体図である。
【符号の説明】
【００２５】
1   排泄物排出口付オシメ
1a  前面男性用伸縮防水被覆
1b  前面女性用防水被覆
1c  前面外縁伸縮防水被覆
1d  後面尻股部伸縮防水被覆
1e  排泄物排出口
1f  肛門部開口器具廻り補強基盤シート
1g  オシメ脱着用帯状止具付バンド
1h  帯状バンド掛具
1i  要介護者管理コード
2   機能別パイプ配置と仝センサー内蔵
2a  陰部廻り尿臭センサー
2b  陰部廻り湿度センサー
2c  前側被覆内湿度センサー
2d  肛門股廻り糞臭センサー
2e  肛門股廻り湿度センサー
2f  後側尻廻り湿度センサー
2g  腹筋圧センサー
2h  オシメ装着有無センサー
2i  肛門股廻り泡水噴射孔付パイプ
2j  陰部廻りシャワーパイプ兼用前面部ドライ噴射孔付パイプ
2k  肛門廻りシャワーパイプ兼用後面部ドライ噴射孔付パイプ
2L  前側被覆内ドライ噴射孔付パイプ
2m  後側被覆内ドライ噴射孔付パイプ
3   股幅保持仕切壁
3a  機能別パイプ
3b  機能別センサー
3c  内視鏡ホース
3d  パイプ・センサー・ホースの外部接続口
4   肛門部開口器具
4a  コの字型前後可動調整盤
4b  はこ型バネ内蔵前後可動軸付外枠
4c  はこ型左右可動内枠
4d  内枠先端角度調整受皿とカバー止具
4e  開口板歯溝付角度調整回転外軸
4f  開口板下部枠昇降用回転内軸
4g  外枠前後可動軸
4h  開口板角度調整歯溝付上部枠
4i  開口板昇降下部枠
4j  開口板下端柔軟部
4k  外枠前後可動軸用中性仕様両回回転モーター
4L  内枠左右可動用中性仕様両回回転モーター
4m  角度調整用中性仕様両回回転モーター
4n  上下可動調整用中性仕様両回回転モーター
4o  上下巻付回転輪
4p  巻上糸
4q  巻引下糸
4r  モーター台ローリング盤
4s  内視鏡
5   排泄物排出口と排出ホース接続部
5a  接続用凹凸金具ボタン止具
5b  形状記憶排出ホース
5c  防臭と空気清浄除湿口兼クッション台座
5d  底面溝付防臭空気清浄除湿器
5e  脱着防止台
5f  除湿器電線
6   排出ホース保護管
6a  上部ラッパ型口
6b  下端部ストッパー  
6c  上端部ストッパー
6d  洗浄水孔付臭気防止管
6e  温風防出開閉弁
6f  洗浄水パイプ
6g  継手エルボ
6h  便器接続の下水管又は公共桝下水管
6i  排出ホース保護管固定具
7   排出口付介護オシメ専用寝台
7a  穴付シーツと毛布
7b  穴付敷フトン
7c  穴付マット
7d  穴付ベッド
7e  排出ホース保護管設置孔
8   人体
9   肛門部
10  お尻
11  陰部
12  太腿
13  オシメと排泄物処理専用の介護用機能内蔵自動制御装置
13a  液晶画面と表示灯操作盤
13b  オシメ連動の各種センサー機能分析制御装置
13c  泡水自動補給タンクと自動制御開閉弁付パイプ
13d  温水シャワー自動補給タンクとドライ温送風機器
13e  温水シャワー・ドライ振分自動制御切替開閉弁付パイプ
13f  洗浄水タンクと自動制御開閉弁付パイプ
13g  介護用測定機器接続口と分析記録機能装置
13h  異常・トラブル発生箇所表示灯と緊急時通報表示灯装置
13i  給湯機器と非常用充電式蓄電器
13j  オシメ接続の各機能センサーと内視鏡接続ケーブル
13k  液晶テレビ・ラジオ・ＣＤ・ＤＶＤ機能内蔵
13L  介護カメラ
【図１】
2005103131.tif 000003
【図２】
2005103131.tif 000004
【図３】
2005103131.tif 000005
【図４】
2005103131.tif 000006
【図５】
2005103131.tif 000007
【図６】
2005103131.tif 000008
【図７】
2005103131.tif 000009
【図８】
2005103131.tif 000010
【図９】
2005103131.tif 000011
【図１０】
2005103131.tif 000012
【図１１】
2005103131.tif 000013
【手続補正書】
【提出日】平成16年2月3日(2004.2.3)
【手続補正１】
【補正対象書類名】特許請求の範囲
【補正対象項目名】請求項１
【補正方法】変更
【補正の内容】
【請求項１】
寝たきりで排泄物を処理するオシメの機構であって、前面被覆は男女とを異にし、前面外縁伸縮被覆と後面尻股部伸縮被覆及び排泄物排出口とから形成し、被覆内部に各機能センサーと各機能パイプ及び内視鏡を内蔵し、糞尿分別処理を兼ねた股幅保持仕切壁を経て外部と接続する手段と、肛門部開口器具を備えたオシメであって要介護者は専用寝台を用い寝たきりで排泄物を下水処理することを特徴とした形態のオシメと排泄物処理方法。
【手続補正２】
【補正対象書類名】明細書
【補正対象項目名】０００９
【補正方法】変更
【補正の内容】
【０００９】
その３、オシメ内に肛門部開口器具を設け可動部材に公知の中性仕様両回回転モーターを備え、部材と同時可動のモーター台ローリング盤は円滑作動を助成さす補強基盤シートを張付けた構造とし、内視鏡を内蔵し画像で遠隔操作によって肛門部へ誘導し開口調整する手段と、オシメ装着専用寝台の排出ホース保護管設置空間穴に形状記憶を施した排出ホースから温風防出開閉弁を通じ洗浄水孔付臭気防止管を経て寝たきり状態で下水管に流し処理する形態のオシメと排泄物処理方法であって、目的を解決するため本オシメ専用の介護用機能内蔵自動制御装置と連動させ用いる機構のオシメと排泄物処理方法である。
【手続補正３】
【補正対象書類名】明細書
【補正対象項目名】００１０
【補正方法】変更
【補正の内容】
【００１０】
その４、排泄物排出口付オシメを使用する専用寝台には、ずり止シーツ・毛布・敷フトン・マット・ベッド等とし、敷フトン又はマットを防臭と空気清浄除湿口兼クッション台座の設置厚を加味し形成した寝具を用い所定位置に円形状の穴を設けた手段と、穴付部分を排出ホース保護管設置空間穴とし排出ホース保護管を取付け、寝たきりで排泄物を下水管に流し処理する方法のオシメと排泄物処理方法である。
【手続補正４】
【補正対象書類名】明細書
【補正対象項目名】００１３
【補正方法】変更
【補正の内容】
【００１３】
図１において、要介護者が排泄物排出口付オシメ１を装着し介護専用寝台７に寝たきり状態で排泄物を処理するシステムであり、オシメ被覆内に内蔵した公知の各種機能可撓パイプと各種機能センサー２は合成樹脂繊維等で形成した股幅保持仕切壁３を経路とし、パイプとセンサーを外部で纏めケーブルに収めた段階のオシメは、目的を解決するため本オシメ専用の介護用機能内蔵自動制御装置１３と連動したケーブル１３jと接続させ、要介護者の排泄物処理を手動又は自動で制御し泡水からシャワー及びドライと洗浄水まで人手不用で処理するシステムとし、排出ホース保護管６を経て合成樹脂等を素材として形成した洗浄水孔付臭気防止管６dから洗浄水で直接流し便器下の下水管又は貯溜槽６hから処理するオシメ装着での排泄物処理方法の標準側面図である。
【手続補正５】
【補正対象書類名】明細書
【補正対象項目名】００１７
【補正方法】変更
【補正の内容】
【００１７】
図５は、後面尻股部伸縮防水被覆１d内部に予め基準値を設定した各種機能センサーには肛門部廻り糞臭センサー２dと肛門股廻り湿度センサー２eの作動で、肛門股廻りシャワーーパイプ兼用後面部ドライ噴射孔付パイプ２kから噴射する仕組みと、後側尻廻り湿度センサー２f作動で後側被覆内ドライ噴射孔付パイプ２mでドライにする手段と、腹筋圧センサー２gで排便兆候作動によって、肛門股廻り泡水噴射孔付パイプ２iから排泄物排出口１eと形状記憶排出ホース５bを泡水により糞便の付着を防ぐ手段と、各種機能センサー線と仝可撓パイプ及び中性仕様両回回転モーター線を股幅保持仕切壁３を経て外部と接続させる機構とし、目的を解決するため本オシメ専用の介護用機能内蔵自動制御装置と連動させ介護するシステムの構造を有した形態による後側被覆内各種機能内蔵の標準平面図である。
図５において、後面尻股部伸縮防水被覆１d内部の肛門部開口器具廻りに補強基盤シート１fを張り接着補強した面に肛門部開口器具４を設置し可動さすコの字型前後可動調整盤４aを接着固定し、はこ型左右可動内枠４cをはこ型バネ内蔵前後可動軸付外枠４bに組込み４aに取付け、内枠先端角度調整軸受皿とカバー止具４dに開口板歯溝付角度調整回転外軸４eと開口板下部枠昇降回転内軸４f及び片断面葉溝付の開口板角度調整歯溝付開口上部枠４hと開口板昇降下部枠４iを組合せ、内枠先端角度調整軸受皿とカバー止具４dに載せ取付けた構造とし、器具可動部材に防水を施した中性仕様両回回転モーター４k・４L・４m・４nを夫々設け、内視鏡４sを内蔵し同一目的のモーター配線接続で左右同時又は片側づつを遠隔操作により肛門部を開口させ排泄物を容易にした手段とし、目的を解決するため本オシメ専用の介護用機能内蔵自動制御装置と連動させた形態の後側被覆内各種機能内蔵の標準平面図である。
【手続補正６】
【補正対象書類名】明細書
【補正対象項目名】００１９
【補正方法】変更
【補正の内容】
【００１９】
図７は、後面尻股部伸縮防水被覆１d内部に設けた肛門部開口器具４の拡大図であって、図５において説明した如くコの字型前後可動調整盤４aに、はこ型バネ内蔵前後可動軸外枠４bとはこ型左右可動内枠４cを組合せ４aに取付け、４c先端の角度調整軸受皿とカバー止具４dに開口板歯溝付角度調整回転外軸４eと開口板下部枠昇降回転内軸４f及び片断面歯溝付の開口板角度調整歯溝付上部枠４hと開口板昇降下部枠４iを組合せ、内枠先端角度調整軸受皿とカバー止具４dに載せ取付けた構造とし、器具可動部材に防水を施した中性仕様両回回転モーター４k・４L・４m・４nを夫々設け、内視鏡４sを内蔵し遠隔操作で肛門部を開口させ排泄物を容易にした手段で、目的を解決するため本オシメ専用の介護用機能内蔵自動制御装置と連動させ用いる形態の肛門部開口器具で片側部分を示した可動調整軸と開口板を示した構造図である。
【手続補正７】
【補正対象書類名】明細書
【補正対象項目名】００２１
【補正方法】変更
【補正の内容】
【００２１】
図９は、要介護者が排泄物排出口付オシメ１を装着するに当り、オシメ脱着用止具付伸縮バンド１gを止掛具と固定シート１hに取付けることで前面外縁伸縮防水被覆１cと後面尻股部伸縮防水被覆１dは股胴廻り素肌に密着し、オシメ内の泡水とシャワーを腹部や背中などへの漏水防止で寝具を漏らさず、専用寝台７で寝たきり状態にて糞尿を処理するシステムであり、排泄物排出口１eと排出ホース５bの上部ラッパ型口６aに形成し、接続した排出ホース保護管６を通じ温風防出開閉弁６eを経て洗浄水孔付臭気防止管６dに入り一時溜め、糞尿行為が終了後センサー２a又は２d作動で２j又は２kのシャワー噴射し臭気除去感知でドライに切換わると同時に洗浄水パイプ６fから６dに貯溜の糞尿を一気に下水管又は貯溜槽６hに流し処理する機構であり、目的を解決するため本オシメ専用の介護用機能内蔵自動制御装置１３と連動させて手段による形態のオシメ装着と排泄物処理方法を示した拡大側面図である。
【手続補正８】
【補正対象書類名】明細書
【補正対象項目名】００２７
【補正方法】変更
【補正の内容】
【００２７】
1  排泄物排出口付オシメ
1a  前面男性用伸縮防水被覆
1b  前面女性用伸縮防水被覆
1c  前面外縁伸縮防水被覆
1d  後面尻股部伸縮防水被覆
1e  排泄物排出口
1f  肛門部開口器具廻り補強基盤シート
1g  オシメ脱着用止具付伸縮バンド
1h  止掛具と固定シート
1i  要介護者管理コード
2    機能別パイプ配置と仝センサー内蔵
2a  陰部廻り尿臭センサー
2b  陰部廻り湿度センサー
2c  前側被覆内湿度センサー
2d  肛門股廻り糞臭センサー
2e  肛門股廻り湿度センサー
2f  後側尻廻り湿度センサー
2g  腹筋圧センサー
2h  オシメ装着有無センサー
2i  肛門股廻り泡水噴射孔付パイプ
2j  陰部廻りシャワーパイプ兼用前面部ドライ噴射孔付パイプ
2k肛門廻りシャワーパイプ兼用後面部ドライ噴射孔付パイプ
2L  前側被覆内ドライ噴射孔付パイプ
2m  後側被覆内ドライ噴射孔付パイプ
3    股幅保持仕切壁
3a  機能別パイプ
3b  機能別センサー
3c  内視鏡ホース
3d  パイプ・センサー・ホースの外部接続口
4    肛門部開口器具
4a  コの字型前後可動調整盤
4b  はこ型バネ内蔵前後可動軸付外枠
4c  はこ型左右可動内枠
4d  内枠先端角度調整受皿とカバー止具
4e  開口板歯溝付角度調整回転外軸
4f  開口板下部枠昇降回転軸
4g  外枠前後可動軸
4h  開口板角度調整歯溝付上部枠
4i  開口板昇降下部枠
4j  開口板下端柔軟部
4k  外枠前後可動軸用中性仕様両回回転モーター
4L  内枠左右可動用中性仕様両回回転モーター
4m  角度調整用中性仕様両回回転モーター
4n  上下可動調整用中性仕様両回回転モーター
4o  上下巻付回転輪
4p  巻上糸
4q  巻引下糸
4r  モーター台ローリング盤
4s  内視鏡
5    排泄物排出口と排出ホース接続部
5a  接続用凹凸金具ボタン止具
5b  形状記憶排出ホース
5c  防臭と空気清浄除湿口兼クッション台座
5d  底面溝付防臭空気清浄除湿器
5e  脱着防止台
5f  除湿器電線
6    排出ホース保護管
6a  上部ラッパ型口
6b  下端部ストッパー
6c  上端部ストッパー
6d  洗浄水孔付臭気防止管
6e  温風防出開閉弁
6f  洗浄水パイプ
6g  継手エルボ
6h  便器接続の下水管又は貯溜槽
6i  排出ホース保護管固定具
7    排出口付介護オシメ専用寝台
7a  穴付シーツと毛布
7b  穴付敷フトン
7c  穴付マット
7d  穴付ベッド
7e  排出ホース保護管設置空間穴
8    人体
9    肛門部
10  お尻
11  陰部
13  太腿
13a  オシメと排泄物処理専用の介護用機能内蔵自動制御装置
13b  液晶画面と表示灯操作盤
13c  オシメ連動の各種センサー機能分析制御装置
13d  泡水自動補給タンクと自動制御開閉弁付パイプ
13e  温水シャワー・ドライ振分自動制御切替開閉弁付パイプ
13f  洗浄水タンクと自動制御開閉弁付パイプ
13g  介護用測定機器接続口と分析記録機能装置
13h  異常・トラブル発生箇所表示灯と緊急時通報表示灯装置
13i  給湯機器と非常用充電式蓄電器
13j  オシメ接続の各機能センサーと内視鏡接続ケーブル
13k  液晶テレビ・ラジオ・ＣＤ・ＤＶＤ機能内蔵
13L  介護カメラ
【手続補正９】
【補正対象書類名】図面
【補正対象項目名】図１
【補正方法】変更
【補正の内容】
【図１】
2005103131.tif 000014
【手続補正１０】
【補正対象書類名】図面
【補正対象項目名】図２
【補正方法】変更
【補正の内容】
【図２】
2005103131.tif 000015
【手続補正１１】
【補正対象書類名】図面
【補正対象項目名】図４
【補正方法】変更
【補正の内容】
【図４】
2005103131.tif 000016
【手続補正１２】
【補正対象書類名】図面
【補正対象項目名】図５
【補正方法】変更
【補正の内容】
【図５】
2005103131.tif 000017
【手続補正１３】
【補正対象書類名】図面
【補正対象項目名】図６
【補正方法】変更
【補正の内容】
【図６】
2005103131.tif 000018
【手続補正１４】
【補正対象書類名】図面
【補正対象項目名】図９
【補正方法】変更
【補正の内容】
【図９】
2005103131.tif 000019
【手続補正書】
【提出日】平成16年2月27日(2004.2.27)
【手続補正１】
【補正対象書類名】明細書
【補正対象項目名】全文
【補正方法】変更
【補正の内容】
【発明の詳細な説明】
【技術分野】
【０００１】
本発明は、要介護者が専用寝台を用い寝たきり状態で排泄物を下水道に直接流し処理するオシメと排泄物処理方法に関する技術である。
【背景技術】
【０００２】
従来、要介護者に用いるオシメに紙おむつが一般的であり被介護者が毎回その都度取替え交換に労力と精神的負担が強いられている実態と、この過程で発生する糞尿付おむつの処分は在宅介護ではそのまま収集車に回収されるが、介護施設等大勢の事業者ではおむつ内の糞便を取除き下水処理した後、紙おむつのみを産業廃棄物として投棄処分される事から手間と廃棄費用等の課題も多く、これらの問題点を解決し廃棄物削減含めた介護システムを実現しようとするものである。
【０００３】
近年は各種センサー付オムツも開発されているが、寝たきりでオシメ内の排泄物を自動等によって直接下水道に流し処理する方法がないことから、従来の排泄処理に係る問題点を解決しようとするものであり、本オシメ専用の介護用機能内蔵自動制御装置と連動させ、各種機能センサーの感知で連動する各種機能パイプの作動によって泡水からシャワーとドライ及び洗浄水まで手動又は自動で排泄物を処理する事で目的を解決するシステムの機構としたものである。
【０００４】
排泄口付オシメ装着で寝たきりの重度利用者を車椅子台座に排出ホース保護管設置空間部を設ける事で、痴呆症等の要介護者を寝たきりにさせず短時間でも外界に出させ気分転換と機能の回復向上に活用でき、一方排泄物の手動又は自動処理等による違和感と故意に高温・冷水等による事故を防ぐ目的から、オシメと排泄物処理方法に関する基礎的又は専門的知識を習得させ介護医療現場に当る人材育成で家族又はプロの被介護者が巡回サービス等で質的向上と介護環境を改善しようとする排泄口付オシメの機構である。
【特許文献１】特開２００１−２１８７８３
【特許文献２】特開２０００−３３３９８９
【発明の開示】
【発明が解決しようとする課題】
【０００５】
従来寝たきり状態の要介護者に対し被介護者が面倒とする課題に食事と入浴及び排泄物などの処理があり、その中で毎回発生する排泄物の処理は異臭が伴う事から最も厄介な介護とされていたが、紙おむつ等の普及で相当軽減されているものの、毎日の取替え交換は被介護者として大変な重荷となり深刻な社会問題となっている。
【課題を解決するための手段】
【０００６】
本発明は上記目的を解決するため、専用寝台を用い寝たきり状態で排泄物を手動又は自動等で処理する介護オシメの機構であって、これらの課題を解決する手段としての作用は次の通りである。
【０００７】
その１、寝たきりで排泄物を処理するオシメの機構で、前側表面被覆を男性用と女性用とに区分し防水被覆で形成し、意識ある男性用には勃起対応の伸縮防水被覆とし、前面外縁伸縮被覆及び後面尻股部伸縮被覆はメッシュ状などの通気性ある硬軟クッション材を用い排泄物排出口を設け一体にしたオシメの構造であり、被覆内部に各機能センサーと各機能パイプ及び内視鏡と連動のホース及び用途別中性仕様両回回転モーターと配線を内蔵し股幅保持仕切壁を経て一軸ケーブルに纏め外部の同軸ケーブルと接続させ用いる手段と、肛門部開口器具を設けオシメ専用寝台を用い寝たきりで排泄物を下水処理することを特徴とした形態のオシメと排泄物処理方法であって、内部には公知の各機能センサーと各機能可撓パイプ及び内視鏡とホースを配し、股部からお尻側に設けた肛門部開口器具を保護堅守し円滑作動用に厚材被覆とし、モーター台ローリング盤を円滑可動さす補強基盤シートを張付け形成した形態のオシメである。
【０００８】
その２、前面外縁伸縮被覆内部に公知のオシメ装着有無・腹筋圧・尿臭・湿度の各機能センサーと伸縮対応の配線を内蔵し、シャワー・ドライの各機能パイプを可撓性のを用い配し、後面尻股部伸縮被覆内部に公知の糞臭・湿度の各機能センサーと、泡水・シャワー・ドライの各機能パイプを配し、公知の内視鏡と可撓ホースを内蔵した手段で、センサー配線及び可撓パイプとホースは糞尿を分別処理する目的を兼ねた股幅保持仕切壁を経て一軸ケーブルとし纏め、外部の同軸ケーブルの同色体と接続させ用いる手段で、寝たきり状態で下水道へ直接流し処理する方法の機構とした形態のオシメと排泄物処理方法であって、目的を解決するため本オシメ専用の介護用機能内蔵自動制御装置と連動させ手動又は自動で処理するオシメと排泄物処理方法である。
【０００９】
その３、オシメ内に肛門部開口器具を設け可動部材毎に公知の中性仕様両回回転モーターを備え、部材と同時可動のモーター台ローリング盤は円滑作動を助長さす補強基盤シートを張付けた構造とし、内視鏡を内蔵し画像で遠隔操作によって肛門部へ誘導し開口調整する手段と、オシメ装着専用寝台の排出ホース保護管設置空間部に形状記憶を施した排出ホースは左右横寝に対応したスライド式とし、排出ホースから放出の糞尿は温風露出開閉弁を通じ洗浄水孔付臭気防止管を経て寝たきり状態で、上述その２で示した方法により目的を解決する機構のオシメと排泄物処理方法である。
【００１０】
その４、排泄物排出口付オシメを使用する専用寝台には、ずり止シーツ・毛布・敷フトン・マット・ベッド等とし、敷フトン又はマットを防臭空気清浄除湿器兼クッション台座の設置厚を加味し加工形成した寝具を用い所定位置に円形状の穴を設けた手段と、穴付部分を排出ホース保護管設置空間部とし、排出ホース保護管を取付け寝たきりで排泄物を下水管に流し処理する方法のオシメと排泄物処理方法である。
【発明の効果】
【００１１】
本発明のオシメと排泄物処理方法は、要介護者に本オシメの装着により糞尿分別し陰部と肛門部周りをシャワーとドライ及び洗浄水まで自動的に処理し下水管に流す方法によって、被介護者が従来要していた労力負担を軽減させるオシメの形態であり、目的を解決するため本オシメ専用に開発の介護用機能内蔵自動制御装置と連動させ用いる事で排泄物を処理し、介護カメラで要介護者の表情や動作及び病状等を遠隔地の病院や施設等管理者と画像により双方向にて受送信で確認し合う仕組みの介護システムに効果が期待できる。  
【発明を実施するための最良の形態】
【００１２】
以下、本発明における実施の形態について、実施例を図１〜図１１に基づいて説明する。
【実施例１】
【００１３】
図１において、要介護者が排泄物排出口付オシメ１を装着し介護専用寝台７に寝たきり状態で排泄物を処理するシステムであり、オシメ被覆内に内蔵した公知の各種機能可撓パイプと各種機能センサー２及び内視鏡ホースは、合成樹脂繊維等で形成した股幅保持仕切壁３を経路とし、パイプとセンサー及びホースを外部で纏め一軸ケーブルに収め所定の長さで接続部としたオシメは、目的を解決するため本オシメ専用の介護用機能内蔵自動制御装置１３と連動した同軸ケーブル１３jは同色体で接続させ、要介護者の排泄物を手動又は自動で制御し泡水からシャワーとドライ及び洗浄水まで人手不用で処理するシステムであり、排出ホース保護管６を経て合成樹脂等を素材として形成した洗浄水孔付臭気防止管６dから洗浄水で便器接続の下水管又は貯溜槽６hへ流し処理するオシメ装着での排泄物処理方法の標準側面図である。
【００１４】
図２は、前面外縁伸縮防水被覆１cと後面尻股部伸縮防水被覆１d及び排泄物排出口付オシメ１の構成を示したもので、内部に合成樹脂等を素材として形成した肛門部開口器具４を設け、肛門部開口器具周りに補強基盤シート１fを後面被覆内面に接着し、陰部と肛門部の境に股幅保持仕切壁３を設置し糞尿分別処理すると共にセンサー線とパイプ及びホースの出入接続口として用いる形態を示した排泄物排出口付オシメの標準姿図である。
【００１５】
図３は、合成樹脂繊維等を素材として形成した排泄物排出口１eに前面外縁伸縮防水被覆１cと後面尻股部伸縮防水被覆１d及び肛門部開口器具周り補強基盤シート１fと肛門部開口器具４並びにモーター台ローリング盤４rの平面的形成を示したもので、合成樹脂等を素材として形成したコの字型前後可動支持枠４aと、はこ型バネ内蔵前後可動軸付外枠４b及び開口板歯溝付角度調整回転外軸４eと開口板下部枠昇降回転内軸４fを取付けた状態を示したオシメ排出口の拡大平面図である。
【００１６】
図４は、前面部男性用伸縮防水被覆１a又は女性用防水被覆１bとの外周に前面外縁伸縮防水被覆１cを設け、内部に内蔵した各種機能別センサー３bには陰部周り尿臭センサー２aと陰部周り湿度センサー２bとがあり、その感知で陰部周りシャワーパイプ兼用前面部ドライ噴射孔付パイプ２jが作動し噴射する仕組みと、前側被覆内湿度センサー２cの感知で前側被覆内ドライ噴射孔付パイプ２Lが作動しドライにする手段と、腹筋圧センサー２gとオシメ装着有無センサー２hの内蔵によって２gは排便兆候を感知し泡水作動させ、２hは装着前の操作による各種機能の作動を停止させ不安全な取扱いを防止した仕組みとし、当該機能別センサー線と仝可撓パイプは股幅保持仕切壁３を経て外部と接続させ介護するシステムの構造を有した形態による前側被覆内各種機能内蔵の標準平面図である。
【００１７】
図５は、後面尻股部伸縮防水被覆１d内部に内蔵した各種機能センサー３bには肛門股周り糞臭センサー２dと肛門股廻り湿度センサー２eとがあり、その感知で肛門股周りシャワーパイプ兼用後面部ドライ噴射孔付パイプ２kが作動し噴射する仕組みと、後側尻周り湿度センサー２fの感知で後側被覆内ドライ噴射孔付パイプ２mが作動しドライにする手段と、腹筋圧センサー２gで排便兆候動作を感知と共に、肛門股周り泡水噴射孔付パイプ２iの作動で泡水を自動的に流れ出し排泄物排出口１eと形状記憶排出ホース５b周囲の糞便付着を防ぐ手段と、当該機能別センサー線と仝可撓パイプ及び内視鏡ホースと各用途別の中性仕様両回回転モーター線は股幅保持仕切壁３を経て外部の同軸ケーブルと接続させる機構とした形態による後側被覆内各種機能内蔵の標準平面図である。
図５において、後面尻股部伸縮防水被覆１d内部の肛門部開口器具周りに補強基盤シート１fを張り接着補強した面に肛門部開口器具４を設置し可動さすコの字型前後可動支持枠４aを接着固定し、はこ型左右可動内枠４cをはこ型バネ内蔵前後可動軸付外枠４bに組込み４aに取付け、内枠先端角度調整軸受皿とカバー止具４dに開口板歯溝付角度調整回転外軸４eと開口板下部枠昇降回転内軸４f及び片断面歯溝付等にした開口板角度調整歯溝付開口上部枠４hと開口板昇降下部枠４iを組合せ、内枠先端角度調整受皿とカバー止具４dに載せ取付けた手段と、器具可動部材に防水を施した各用途別の中性仕様両回回転モーター４k・４L・４m・４nを夫々取付け各サイズの歯車組合せで低速回転とし、内視鏡４sを内蔵し同一目的のモーター配線の接続で左右同時又は片側づつを遠隔操作により肛門部に誘導し開口させ排泄物を容易にした手段とした形態の後側被覆内各種機能内蔵の標準平面図である。
【００１８】
図６は、後面尻股部伸縮被覆１d内部に設けた肛門部開口器具４で破線部分はオシメ装着時の肛門部位肌に接し縮めた状態を示したものであり、装着後は内視鏡カメラ４sで遠隔操作によって尻部体形に合せ肛門位置に誘導し開口板で調整しつつ肛門部位を開ける構造と、肛門股部における各種機能内蔵の標準断面図である。
【００１９】
図７は、後面尻股部伸縮防水被覆１d内部に設けた肛門部開口器具４の拡大図であって、その各部材の組合せは図５において説明した如くであり、中性仕様両回回転モーターの機能について述べる、コの字型前後可動支持枠４a固定させ、その中に取付けた外枠前後可動軸用中性仕様両回回転モーター４kで、はこ型バネ内蔵前後可動軸付外枠４bと一体のはこ型左右可動内枠４cを肛門部へ可動誘導させ、内枠左右可動用中性仕様両回回転モーター４Lで、はこ型左右可動内枠４cを肛門開口に用い、更に角度調整可動軸用中性仕様両回回転モーター４mで開口板歯溝付角度調整回転外軸４eと一体の片断面歯溝付とした開口板角度調整歯溝付上部枠４hと開口板昇降下部枠４iの角度を調整し肛門部を開口させ、上下可動調整用中性仕様両回回転モーター４nで開口板下部枠昇降回転内軸４fの回転で片断面歯溝付の開口板角度調整歯溝付上部枠４h内に開口板昇降下部枠４iを出し入れし肛門部位に当て開口させる構造とした肛門部開口器具４であり、左右に設けた各部材を用途毎に可動させるため内視鏡４sを内蔵し遠隔操作で肛門部を開口させ排泄物を容易に排出する手段とした形態の肛門部開口器具であって、片側部分を示した可動調整軸と開口板の詳細を示した構造図である。
【００２０】
図８は、はこ型左右可動内枠４c先端部の内枠先端角度調整受皿とカバー止具４dに開口板歯溝付角度調整回転外軸４eと開口板下部枠昇降回転内軸４fを一体にし、開口板角度調整歯溝付上部枠４hに開口板昇降下部枠４iとを組合せ４dに乗せカバー止具で固定し、可動部材の各々に中性仕様両回回転モーターを配し駆動により同時可動するモーター台ローリング盤４rは馬形状の回転輪とローリング盤下を回転自在球で覆った形状とした４rは、４eと４f軸に取付けた中性仕様両回回転モーター４mと４nの駆動で４hと４iが作動する形態の角度調整軸と開口板を示した詳細断面図である。
【００２１】
図９は、要介護者が排泄物排出口付オシメ１を装着し寝たきりで排泄物を処理する状態を示したもので、オシメ脱着用止具伸縮バンド１gを固定シートと止掛具１hに取付けることで前面外縁伸縮防水被覆１cと後面尻股部伸縮防水被覆１dは股胴周りの素肌に密着し、オシメ内の泡水とシャワーは排出口から落下し処理されるため、腹部や背中などへの漏水を防ぎ寝具が濡れる事なく専用寝台７で寝たきり状態にて糞尿を処理でき、又、排泄物排出口１eと排出ホース５bの上部をラッパ型口６aを形状記憶加工で形成し、接続した排出ホース保護管６を通じ温風露出開閉弁６eを経て洗浄水孔付臭気防止管６dに入り一時溜め、糞尿行為の終了後センサー感知でシャワー噴射し、臭気除去を感知によりドライに切換わると同時に洗浄水パイプ６fから６dに貯溜の糞尿を一気に下水管又は貯溜槽６hに流し処理する手段による形態のオシメ装着と排泄物処理方法を示した拡大側面図である。
【００２２】
図１０は、排泄物排出口付オシメ１を一定期間毎に取替える時、オシメ側の機能別パイプと仝センサー及びホース一軸ケーブル２の接続口に防水キャップを付けクリーニングし、殺菌消毒済みオシメの交換を円滑に行うため、排泄物排出口１eと円形保持に形状記憶加工した排出ホース５bは夫々凹凸など止具ボタン５aで連結させ、容易に取付け取外しの出来る止具を用いるものとし、また交換時に排泄物排出口１eと切離した排出ホース５bが排出ホース保護管６から脱落防止に排出ホース上部をラッパ型口６aに形成し、防臭空気清浄除湿器兼クッション台座５cと防臭空気清浄除湿器５dには空間部を設け脱落防止部５eとし連結させ５d底面に溝を付け排出ホース保護管６の上端部を挿入し固定させ、５cは１３と連動させ自動的に作動する仕組みとし、排出ホース５bの下端部に重みあるストッパーを取付け、左右横寝返り時の排出ホースをスライド下降で復元させ、張力に耐える連結部材５aと固定シートと止掛具１hを用いた構造の形態とした排出口と排出ホース接続部を示した拡大側面図である。
【実施例２】
【００２３】
図１１は、実施例１に示した手段と形態によるオシメと排泄物処理方法の目的を解決するため、本オシメと連動させ用いる介護用機能内蔵自動制御装置を実施例２として説明する、介護用機能内蔵自動制御装置１３には公知の各種部材を用い組合せ構成させ、液晶画面には肛門部開口器具４をモニターで遠隔操作する表示灯付操作盤１３aを備え、左・同時・右の切替スイッチと前後・左右と内角・外角・上下の各調整操作盤で開口器具を作動させる手段と、オシメ連動の各種センサーは成分分析機能内蔵１３bし、化学的に自動分析する機能を内蔵し、又、泡水自動補給タンク及び泡水自動制御開閉弁付パイプ１３cと、温水シャワー自動給湯タンクとドライ温送風機器１３dを備え、温度センサーで所定の温風と温水を設定し保たせ、同一管の内部に振分弁付としたパイプを用いた温水シャワー・温風ドライ振分自動制御切替開閉弁付パイプ１３eによって、パイプ内のシャワー滞水を温送風圧で放出させ温風ドライを送る仕組みによってオシメ内の配管数を省き、又、洗浄水自動補給タンクと送水自動制御開閉弁付パイプ１３fによって、オシメ内部に発生した糞尿又は湿度を除去し肌の快適性を維持する仕組みと、介護に必要な個別の測定器具接続口を設ける、例えば心電図測定機器・血圧脈拍測定器・呼気測定機器・糞尿分析測定機器等の医療器具を装置と接続させ分析記録機能装置１３gを内蔵した手段の介護用機能内蔵自動制御装置の実施例を示した標準立体図である。
【００２４】
図１１において、防臭除菌空気清浄器兼クッション台座５c及び５dには、湿度と糞尿臭センサーを取付け、本装置と接続させセンサー作動で電源のＯＮ／ＯＦＦを自動的に制御させ、本オシメ外部の臭気と湿度を除去させ寝台周囲と室内の清潔快適性を堅守させる手段と、又、機能の異常トラブルの発生箇所表示灯１３hや緊急時通報と表示灯による方法１３ｈには画面表示又は音声或いは点滅等で知らせる仕組みと、給湯機器と非常用充電式蓄電池１３iを備え、介護カメラ１３Lを取付け病院・施設等管理者と要介護者の枕付近に置いた送受信器によって要介護者の表情や動作及び症状等を管理できる機構とした装置であって、好ましくは意識ある要介護者などに情報と娯楽又は音楽等を提供し、気分転換とリラックスで症状を癒す療法を取入れるため、本装置に液晶テレビ・ラジオ・ＣＤ・ＤＶＤ等の機能を搭載させた装置とし、又、オシメと接続により各機能センサーと仝パイプ及び内視鏡ホースを同軸ケーブル１３jを本装置に連動させ用いる事で目的は解決するものの、本装置には操作手順の手引き及び糞尿行為時のオシメ内動作サイクルを画像に文字表示する機能を内蔵させる、例えばオシメの取替え交換の手順ボタンや、排尿中・シャワー・ドライ・洗浄中・終了と、腹筋圧から泡水・排便中・シャワー・ドライ・洗浄中・終了等を画面上に表示させるボタンの設定で、被介護者は画像で操作と行動を確認できる機構としたオシメと排泄物処理方法及び介護用機能内蔵自動制御装置の実施例を示した標準立体図である。
【産業上の利用可能性】
【００２５】
高齢化社会に伴なう痴呆症又は難病等で寝たきり状態の要介護者に提供するオシメであって、その利用可能性はこの他にも離乳幼児や交通事故などの骨折及び大手術等で自力歩行が困難な場合にも利用できる事は自明である。
【図面の簡単な説明】
【００２６】
【図１】オシメと排泄物処理方法を示した標準側面図である
【図２】排泄物排出口付オシメを示した標準姿図である
【図３】オシメ排出口を示した拡大平面図である
【図４】前面被覆内各種機能を示した標準平面図である
【図５】後側被覆内各種機能を示した標準平面図である
【図６】肛門部開口器具と各種機能を示した標準断面図である
【図７】肛門部開口器具の可動調整軸と開口板を示した構造図である
【図８】角度調整軸と開口板を示した詳細断面図である
【図９】オシメ装着と排泄物処理方法を示した拡大側面図である
【図１０】排出口と排出ホース接続部を示した拡大側面図である
【図１１】オシメと排泄物処理方法と連動作動の介護用機能内蔵自動制御装置の実施例を示した標準立体図である
【符号の説明】
【００２７】
1    排泄物排出口付オシメ
1a   前面男性用伸縮防水被覆
1b   前面女性用防水被覆
1c   前面外縁伸縮防水被覆
1d   後面尻股部伸縮防水被覆
1e   排泄物排出口
1f   肛門部開口器具周り補強基盤シート
1g   オシメ脱着用止具付伸縮バンド
1h   固定シートと止掛具
1i   要介護者管理コード
2    機能別パイプと仝センサー及びホース一軸ケーブル
2a   陰部周り尿臭センサー
2b   陰部周り湿度センサー
2c   前側被覆内湿度センサー
2d   肛門股周り糞臭センサー
2e   肛門股周り湿度センサー
2f   後側尻周り湿度センサー
2g   腹筋圧センサー
2h   オシメ装着有無センサー
2i   肛門股周り泡水噴射孔付パイプ
2j   陰部周りシャワーパイプ兼用前面部ドライ噴射孔付パイプ
2k   肛門周りシャワーパイプ兼用後面部ドライ噴射孔付パイプ
2L   前側被覆内ドライ噴射孔付パイプ
2m  後側被覆内ドライ噴射孔付パイプ
3    股幅保持仕切壁
3a   機能別パイプ
3b   機能別センサー
3c   内視鏡ホース
3d   パイプ・センサー・ホースの外部接続部
4    肛門部開口器具
4a   コの字型前後可動支持枠
4b   はこ型バネ内蔵前後可動軸付外枠
4c   はこ型左右可動内枠
4d   内枠先端角度調整受皿とカバー止具
4e   開口板下部枠昇降回転外軸
4f   開口板下部枠昇降回転内枠
4g   外側前後可動軸
4h   開口板角度調整歯溝付上部枠
4i   開口板昇降下部枠
4j   開口板下端柔軟部
4k   外枠前後可動軸用中性仕様両回回転モーター
4L   内枠左右可動軸用中性仕様両回回転モーター
4m   角度調整可動軸用中性仕様両回回転モーター
4n   上下可動調整用中性仕様両回回転モーター
4o   上下巻付回転輪
4p   巻上糸
4q   巻引下糸
4r   モーター台ローリング盤
4s   内視鏡
5    排泄物排出口と排出ホース接続部
5a   連結用ボタン止具
5b   記憶形状排出ホース
5c   防臭空気清浄除湿器兼クッション台座
5d   防臭空気清浄除湿器
5e   脱着防止部
5f   装置連動除湿器ケーブル
6    排出ホース保護管
6a   上部ラッパ型口
6b   下端部ストッパー
6c   上端部ストッパー
6d   洗浄水孔付臭気防止管
6e   温風漏止開閉弁
6f   洗浄水パイプ
6g   継手エルボ
6h   便器接続の下水管又は貯溜槽
6i   排出口付保護管固定具
7    排出口付介護オシメ専用寝台
7a   穴付シーツと毛布
7b   穴付敷フトン
7c   穴付マット
7d   穴付ベッド
7e   排出ホース保護管設置空間部
8    人体
9    肛門部
10   お尻
11   陰部
12   太腿
13   オシメと排泄物処理専用の介護用機能内蔵自動制御装置
13a  液晶画面と表示灯付操作盤
13b  オシメ連動の各種センサー成分分析機能内蔵
13c  泡水自動補給タンクと自動制御開閉弁付パイプ
13d  温水シャワー自動給湯タンクとドライ温送風機器
13e  温水シャワー・ドライ振分自動制御切替開閉弁付パイプ
13f  洗浄水自動補給タンクと自動制御開閉弁付パイプ
13g  介護用測定機器接続口と分析記録機能装置
13h  異常・トラブル発生箇所表示灯と緊急時通報表示灯装置
13i  給湯機器と非常用充電式蓄電池
13j  オシメ接続の各機能センサーと仝パイプ及び内視鏡ホース同軸ケーブル
13k  液晶テレビ・ラジオ・ＣＤ・ＤＶＤ機能内蔵
13l  管理者用介護カメラ
【手続補正書】
【提出日】平成16年7月22日(2004.7.22)
【手続補正１】
【補正対象書類名】図面
【補正対象項目名】図１
【補正方法】変更
【補正の内容】
【図１】
2005103131.tif 000020
【手続補正２】
【補正対象書類名】図面
【補正対象項目名】図２
【補正方法】変更
【補正の内容】
【図２】
2005103131.tif 000021
【手続補正３】
【補正対象書類名】図面
【補正対象項目名】図４
【補正方法】変更
【補正の内容】
【図４】
2005103131.tif 000022
【手続補正４】
【補正対象書類名】図面
【補正対象項目名】図５
【補正方法】変更
【補正の内容】
【図５】
2005103131.tif 000023
【手続補正５】
【補正対象書類名】図面
【補正対象項目名】図６
【補正方法】変更
【補正の内容】
【図６】
2005103131.tif 000024
【手続補正６】
【補正対象書類名】図面
【補正対象項目名】図９
【補正方法】変更
【補正の内容】
【図９】
2005103131.tif 000025